(57)【要約】【課題】レックポーズ又はチャンネル切り換えが発生した場合であっても、ＶＢＩ情報を受信側に正しく表示させる。【解決手段】本発明のＤＶＤレコーダは、ＶＢＩスライス回路２４と、ＭＰＥＧエンコーダ１７と、システムコントローラ２６とを備えている。システムコントローラ２６は、レックポーズの解除時に、まず、受信側のＶＢＩメモリ内の情報を消去する制御コマンドをＭＰＥＧ２データストリームに挿入する。【選択図】  図１
2004320082.tif 000002
【特許請求の範囲】
【請求項１】
所定の方式のテレビジョン信号が入力され、入力されたテレビジョン信号を所定のデジタル映像信号に変換するテレビジョンデコード手段と、上記デジタル映像信号を符号化して所定のフォーマットのビデオデータストリームに変換するビデオエンコード手段と、
上記ビデオデータストリームを記録媒体に記録する記録手段と、
上記テレビジョン信号の各フレームの垂直帰線消去期間内の所定の水平走査期間に含まれているブランキングデータを検出するブランキング情報検出手段と、検出した上記ブランキングデータを上記ビデオデータストリームに対して符号化する制御手段とを備え、
上記制御手段は、符号化処理の一時停止後の再符号化の開始時又はチャンネル切り換え後の再符号化の開始時に、表示データを記憶するメモリ内の情報を消去する制御コマンドをブランキングデータとして挿入することを特徴とする映像信号記録装置。
【請求項２】
上記制御手段は、メモリ内の情報を消去する制御コマンドを挿入したのち、表示データの挿入が開始されたことを通知する制御データをブランキングデータとして挿入することを特徴とする請求項１記載の映像信号記録装置。
【請求項３】
所定の方式のテレビジョン信号を入力し、
入力したテレビジョン信号を所定のデジタル映像信号に変換し、
上記デジタル映像信号を符号化して所定のフォーマットのビデオデータストリームに変換し、
入力した上記テレビジョン信号の各フレームの垂直帰線消去期間内の所定の水平走査期間に含まれているブランキングデータを検出し、
検出した上記ブランキングデータを上記ビデオデータストリームに対して符号化し、
上記ビデオデータストリームを記録媒体に記録し、
さらに、符号化処理の一時停止後の再符号化の開始時又はチャンネル切り換え後の再符号化の開始時には、表示データを記憶するメモリ内の情報を消去する制御コマンドをブランキングデータとして上記ビデオデータストリームに挿入することを特徴とする映像信号記録方法。
【請求項４】
メモリ内の情報を消去する制御コマンドを挿入したのち、表示データの挿入が開始されたことを通知する制御データをブランキングデータとして挿入することを特徴とする請求項３記載の映像信号記録方法。
【発明の詳細な説明】
【０００１】
【発明の属する技術分野】
本発明は、ＮＴＳＣ等の所定のテレビジョン信号を入力し、入力されたテレビジョン信号をデジタル符号化してＤＶＤ等の記録媒体に記録する映像信号記録装置及び方法に関する。
【０００２】
【従来の技術】
テレビジョン放送の録画や撮影画像を記録する装置として、ビデオテープレコーダに代わり、記録型ＤＶＤをメディアとして用いたＤＶＤレコーダが普及し始めている。記録型ＤＶＤは、直径１２ｃｍ、厚さ１．２ｍｍの片面で４．７Ｇバイトの容量の記録可能な光ディスクである。
【０００３】
記録型ＤＶＤには、追記型（一回のみ記録可能タイプ）と書き換え型（複数回の書き換え可能タイプ）を合わせて、ＤＶＤ−Ｒ、ＤＶＤ−ＲＷ、ＤＶＤ＋ＲＷ、ＤＶＤ＋Ｒ及びＤＶＤ−ＲＡＭの５つの種類のフォーマットが提案されている。これらのフォーマットは、ＤＶＤの民間規格団体である“ＤＶＤフォーラム”  （例えば非特許文献１を参照。）、並びに、ＤＶＤフォーラムとは異なる民間規格団体である“ＤＶＤ＋ＲＷアライアンス”  （例えば非特許文献２を参照。）から提案されている。
【０００４】
また、これらのＤＶＤ規格では、ビデオ及びオーディオの符号化方式として、ＭＰＥＧ−２方式が採用されている。ＤＶＤレコーダでは、入力されたビデオ及びオーディオ信号を、ＭＰＥＧ−２方式で圧縮符号化してＭＰＥＧ−２データストリームを生成し、生成したＭＰＥＧ−２データストリームに対してさらに対応したオーサリング処理を行って、ＤＶＤに対して記録を行う。
【０００５】
また、テレビジョン信号の放送方式には、クローズドキャプション及びテキスト情報、それらの制御データ等の付加情報を、垂直帰線消去期間内の所定の水平走査期間（例えば、２１番めの水平ライン）に挿入するといった、文字多重放送やテレテキストと呼ばれる方式がある。このような垂直帰線消去期間内の所定の水平走査期間に挿入される情報は、一般に、ＶＢＩ（Ｖｅｒｔｉｃａｌ  Ｂｌａｎｋｉｎｇ  Ｉｎｆｏｒｍａｔｉｏｎ）情報と呼ばれる。受信側では、ＶＢＩ情報としてテキスト情報やクローズドキャプションが送信されてきた場合には、その情報を専用の表示メモリに格納し、その表示メモリ内に格納されている情報をＯＳＤ表示する。この文字多重放送やテレテキストといった方式では、例えば、ＶＢＩ情報が連続したフレームにわたり伝送され、複数のフレームを合わせた全体でＶＢＩ情報として意味をなすこととなる。
【０００６】
ＤＶＤレコーダでは、このようなＶＢＩ情報が含められたテレビジョン信号を録画する場合、ＮＴＳＣやＰＡＬ方式のテレビジョン信号の段階でこれらのＶＢＩ情報を検出し、検出したＶＢＩ情報をＭＰＥＧ−２のデータストリームの各ＧＯＰのヘッダに符号化する。
【０００７】
また、一般的なビデオ又はオーディオのレコーディング装置では、記録動作を停止するストップ処理とは別に、記録動作を一時停止する“レックポーズ”という機能が設けられている。
【０００８】
例えば、ストップ処理をした後に再度記録開始をした場合には、記録媒体上には、１本のＭＰＥＧ−２データストリームが完全に終了した後、新たな２本目のＭＰＥＧ−２データストリームが記録される。それに対して、レックポーズをした後に記録再開をした場合には、記録媒体上には、レックポーズ前と後で連続した１本のＭＰＥＧ−２データストリームが記録される。
【０００９】
【非特許文献１】
インターネット＜ＵＲＬ  ：ｈｔｔｐ：／／ｗｗｗ．ｄｖｄｆｏｒｕｍ．ｇｒ．ｊｐ／＞
【非特許文献２】
インターネット＜ＵＲＬ  ：ｈｔｔｐ：／／ｗｗｗ．ｄｖｄｒｗ．ｃｏｍ／＞
【００１０】
【発明が解決しようとする課題】
ところで、ＤＶＤレコーダによりレックポーズ操作を行った場合、当然、ＶＢＩ情報の記録も停止し、その前後でＶＢＩ情報の連続性が途切れてしまう。
【００１１】
そのため、例えば、レックポーズ前になんらかのテキスト情報を表示していた場合、そのテキスト情報が受信側のメモリに残ってしまい、それが消去されずに、記録再開後の映像に表示されてしまう可能性がある。
【００１２】
また、チャンネル切り換え時にも、レックポーズ時と同様に、ＶＢＩ情報の連続性が途切れてしまい、チャンネル切り換え後の映像に前のチャンネルのテキスト情報が表示されてしまう可能性がある。
【００１３】
本発明は、以上のような実情を鑑みてなされたものであり、レックポーズが発生した場合であっても、垂直帰線消去期間内の所定の水平走査期間に挿入されている付加情報を受信側に正しく表示させることができる映像信号記録装置及び方法を提供することを目的とする。
【００１４】
【課題を解決するための手段】
本発明に係る映像信号記録装置は、所定の方式のテレビジョン信号が入力され、入力されたテレビジョン信号を所定のデジタル映像信号に変換するテレビジョンデコード手段と、上記デジタル映像信号を符号化して所定のフォーマットのビデオデータストリームに変換するビデオエンコード手段と、上記ビデオデータストリームを記録媒体に記録する記録手段と、上記テレビジョン信号の各フレームの垂直帰線消去期間内の所定の水平走査期間に含まれているブランキングデータを検出するブランキング情報検出手段と、検出した上記ブランキングデータを上記ビデオデータストリームに対して符号化する制御手段とを備え、上記制御手段は、符号化処理の一時停止後の再符号化の開始時又はチャンネル切り換え後の再符号化の開始時に、表示データを記憶するメモリ内の情報を消去する制御コマンドをブランキングデータとして挿入することを特徴とする。
【００１５】
本発明に係る映像信号記録方法は、所定の方式のテレビジョン信号を入力し、入力したテレビジョン信号を所定のデジタル映像信号に変換し、上記デジタル映像信号を符号化して所定のフォーマットのビデオデータストリームに変換し、入力した上記テレビジョン信号の各フレームの垂直帰線消去期間内の所定の水平走査期間に含まれているブランキングデータを検出し、検出した上記ブランキングデータを上記ビデオデータストリームに対して符号化し、上記ビデオデータストリームを記録媒体に記録し、さらに、符号化処理の一時停止後の再符号化の開始時又はチャンネル切り換え後の再符号化の開始時には、表示データを記憶するメモリ内の情報を消去する制御コマンドをブランキングデータとして上記ビデオデータストリームに挿入する。
【００１６】
以上の本発明に係る映像信号記録装置及び方法では、符号化処理の一時停止後の再符号化の開始時又はチャンネル切り換え後の再符号化の開始時には、表示データを記憶するメモリ内の情報を消去する制御コマンドをブランキングデータとしてビデオデータストリームに挿入する。
【００１７】
【発明の実施の形態】
以下、本発明の実施の形態として本発明を適用したＤＶＤレコーダについて説明をする。
【００１８】
図１に、本発明の実施の形態のＤＶＤレコーダ１０のブロック構成図を示す。
【００１９】
本発明の実施の形態のＤＶＤレコーダ１０は、テレビジョン放送や録画テープから再生されたＡＶ信号（映像／音声信号）をＤＶＤディスクに記録し、また、ＤＶＤディスクからＡＶ信号を再生して出力する装置である。
【００２０】
ＤＶＤレコーダ１０では、ＤＶＤの民間規格団体である“ＤＶＤフォーラム”により提案されているＤＶＤ−ＶＩＤＥＯ，ＤＶＤ−Ｒ，ＤＶＤ−ＲＷ及びＤＶＤの民間規格団体である“ＤＶＤ＋ＲＷアライアンス”により提案されているＤＶＤ＋Ｒ及びＤＶＤ＋ＲＷに対する記録や再生が可能なマルチタイプのディスクレコーダである。以下、ＤＶＤレコーダ１０により記録再生が可能なこれらのＤＶＤディスクを総称する場合には、ＤＶＤディスク１と呼ぶものとする。
【００２１】
ＤＶＤレコーダ１０の内部構成について、図１を参照して説明する。
【００２２】
ＤＶＤレコーダ１０は、ビデオ入力端子（Ｖｉｎ）と、オーディオ入力端子（Ａｉｎ）と、ビデオ出力端子（Ｖｏｕｔ）と、オーディオ出力端子（Ａｏｕｔ）と、デジタルインタフェース端子（ＤＶｉｎ）と、ビデオＡ／Ｄコンバータ１１と、ビデオＤ／Ａコンバータ１２と、オーディオＡ／Ｄコンバータ１３と、オーディオＤ／Ａコンバータ１４とを備えている。
【００２３】
ビデオ入力端子（Ｖｉｎ）は、チューナ，セットトップボックスやビデオ信号再生装置等と映像ケーブルを介して接続される。ビデオ入力端子（Ｖｉｎ）には、これらの装置から、例えばＮＴＳＣやＰＡＬ等の所定の映像フォーマットの映像信号であるビデオ信号が入力される。なお、ビデオ入力端子（Ｖｉｎ）に入力されたビデオ信号は、ビデオＡ／Ｄコンバータ１１によってアナログ信号からデジタル信号に変換されて装置内に入力される。ビデオ出力端子（Ｖｏｕｔ）は、テレビジョンモニタやビデオ信号記録装置等と映像ケーブルを介して接続される。ビデオ出力端子（Ｖｏｕｔ）は、これらの装置に対して、例えばＮＴＳＣやＰＡＬ等の所定の映像フォーマットの映像信号であるビデオ信号を出力する。なお、ビデオ出力端子（Ｖｏｕｔ）から出力されるビデオ信号は、ビデオＤ／Ａコンバータ１２によってデジタル信号からアナログ信号に変換されて装置外に出力される。
【００２４】
オーディオ入力端子（Ａｉｎ）は、チューナ，セットトップボックスやオーディオ信号再生装置等とオーディオケーブルを介して接続される。オーディオ入力端子（Ａｉｎ）には、これらの装置から、例えば所定のフォーマットの音声音楽信号であるオーディオ信号が入力される。なお、オーディオ入力端子（Ａｉｎ）に入力されたオーディオ信号は、オーディオＡ／Ｄコンバータ１３によってアナログ信号からデジタル信号に変換されて装置内に入力される。オーディオ出力端子（Ａｏｕｔ）は、オーディオ装置やオーディオ信号記録装置等とオーディオケーブルを介して接続される。オーディオ出力端子（Ａｏｕｔ）は、これらの装置に対して、例えば所定のフォーマットの音声音楽信号であるオーディオ信号を出力する。なお、オーディオ出力端子（Ｖｏｕｔ）から出力されるオーディオ信号は、オーディオＤ／Ａコンバータ１４によってデジタル信号からアナログ信号に変換されて装置外に出力される。
【００２５】
デジタルインタフェース端子（ＤＶｉｎ）は、例えば、ＩＥＥＥ１３９４端子やＵＳＢ等のデジタルデータ伝送用のインタフェースケーブルを介して、ＡＶデータ（ビデオデータ及びオーディオデータ）をＤＶテープカセットから再生するＤＶプレーヤと接続される。デジタルインタフェース端子（ＤＶｉｎ）には、このＤＶプレーヤがＤＶテープカセットから再生したＤＶフォーマットのＡＶデータ（ＤＶデータ）が入力される。
【００２６】
また、ＤＶＤレコーダ１０は、ＮＴＳＣ／ＰＡＬデコーダ１５と、ＤＶデコーダ１６と、ＭＰＥＧエンコーダ１７と、ＭＰＥＧデコーダ１８と、グラフィック合成回路１９と、ＮＴＳＣ／ＰＡＬエンコーダ２０とを備えている。
【００２７】
ＮＴＳＣ／ＰＡＬデコーダ１５は、ビデオ入力端子（Ｖｉｎ）から入力され、ビデオＡ／Ｄコンバータ１１によりデジタル化されたＮＴＳＣ又はＰＡＬフォーマット等のビデオ信号を、ＩＴＵ−Ｒ  ＢＴ．６０１フォーマットのビデオ信号に変換する。
【００２８】
ＤＶデコーダ１６は、デジタルインタフェース端子（ＤＶｉｎ）から入力されたＤＶデータを、ＩＴＵ−Ｒ  ＢＴ．６０１フォーマットのビデオ信号及び所定のフォーマットのオーディオ信号に変換する。
【００２９】
ＭＰＥＧエンコーダ１７は、ＩＴＵ−Ｒ  ＢＴ．６０１フォーマットのビデオ信号、及び、オーディオＡ／Ｄコンバータ１３によりデジタル化された所定のフォーマットのオーディオ信号が入力され、これらをＭＰＥＧ−２方式で圧縮符号化してＭＰＥＧ−２方式のＡＶデータストリーム（ＭＰＥＧ−２ストリーム）を生成する。
【００３０】
ＭＰＥＧデコーダ１８は、ＭＰＥＧ−２ストリームが入力され、これを伸張復号して、ＩＴＵ−Ｒ  ＢＴ．６０１フォーマットのビデオ信号及び所定のフォーマットのオーディオ信号を生成する。
【００３１】
グラフィック合成回路１９は、ＩＴＵ−Ｒ  ＢＴ．６０１フォーマットのビデオ信号の表示画面上に、外部入力されたオンスクリーンディスプレイ画像（ＯＳＤ画像）を合成する処理を行う。
【００３２】
ＮＴＳＣ／ＰＡＬエンコーダ２０は、グラフィック合成回路１９から出力されたＩＴＵ−Ｒ  ＢＴ．６０１フォーマットのビデオ信号を、ＮＴＳＣ又はＰＡＬフォーマットのビデオ信号に変換し、ビデオ出力端子（Ｖｏｕｔ）から出力する。
【００３３】
また、ＤＶＤレコーダ１０は、ビデオ信号及びオーディオ信号の伝送経路を切り換えるスイッチング回路２１を備えている。
【００３４】
スイッチング回路２１は、記録時と再生時とで伝送経路を切り換え、さらに、記録時には、ＤＶデータとそれ以外の信号の入力時とで伝送経路を切り換える。
【００３５】
具体的には、スイッチング回路２１は次のように経路を切り換える。すなわち、ＤＶデータ以外の信号を記録する場合には、スイッチング回路２１は、ＮＴＳＣ／ＰＡＬデコーダ１５から出力されたビデオ信号をＭＰＥＧエンコーダ１７及びグラフィック合成回路１９に供給し、オーディオＡ／Ｄコンバータ１３から出力されたオーディオ信号をＭＰＥＧエンコーダ１７及びオーディオＤ／Ａコンバータ１４に供給するように伝送経路を切り換える。また、ＤＶデータを記録する場合には、スイッチング回路２１は、ＤＶデコーダ１６から出力されたビデオ信号をＭＰＥＧエンコーダ１７及びグラフィック合成回路１９に供給し、ＤＶデコーダ１６から出力されたオーディオ信号をＭＰＥＧエンコーダ１７及びオーディオＤ／Ａコンバータ１４に供給するように伝送経路を切り換える。また、再生をする場合には、スイッチング回路２１は、ＭＰＥＧデコーダ１８から出力されたビデオ信号をグラフィック合成回路１９に供給し、ＭＰＥＧデコーダ１８から出力されたオーディオ信号をオーディオＤ／Ａコンバータ１４に供給するように伝送経路を切り換える。
【００３６】
また、ＤＶＤレコーダ１０は、バッファ回路２２と、ドライブ装置２３とを備えている。
【００３７】
バッファ回路２２は、ＤＶＤディスク１に対して記録及び再生される、ＭＰＥＧ−２ストリーム及び制御データストリームを一時的に格納するメモリである。
ドライブ装置２３は、ＤＶＤディスク１が装着され、装着されているＤＶＤディスク１に対して物理的にアクセスを行いデータの記録及び再生を行う装置である。なお、制御データストリームとは、ＤＶＤディスク１のフォーマットに規定されているインフォメーション情報等が含まれているデータストリームである。
【００３８】
また、ＤＶＤレコーダ１０は、ＶＢＩスライス回路２４を備えている。
【００３９】
ＶＢＩスライス回路２４は、ビデオ信号のブランキング期間に含まれているインフォメーション情報（ＶＢＩ情報）を、ビデオ入力端子（Ｖｉｎ）から入力されたビデオ信号から検出する回路である。
【００４０】
また、ＤＶＤレコーダ１０は、入力装置２５と、システムコントローラ２６とを備えている。
【００４１】
入力装置２５は、例えば赤外線リモートコントローラ等の入力デバイスであり、ユーザによりＤＶＤレコーダ１０を操作するための情報入力が行われる装置である。入力装置２５から入力された情報は、システムコントローラ２６に供給される。
【００４２】
システムコントローラ２６は、上述した各回路に対する設定及び制御を行うマイクロコンピュータ等から構成される制御ブロックである。
【００４３】
システムコントローラ２６により行われる具体的な処理には、例えば次のようなものがある。
【００４４】
例えば、システムコントローラ２６は、制御データストリームをバッファ回路２２から読み出してその制御データに基づいたＤＶＤディスク１に対するアクセス制御、表示制御等を行う。システムコントローラ２６は、データの記録開始時や終了時に、記録する、又は、記録したデータに関する制御情報を生成し、その制御情報をフォーマットに従ったデータストリームとしてＤＶＤディスク１に記録する。システムコントローラ２６は、ＭＰＥＧ−２ストリームのヘッダ情報の生成及びヘッダ情報の解析を行う。
【００４５】
また、システムコントローラ２６は、例えばメニュー画面等のＯＳＤ画像を生成し、生成したＯＳＤ画像をグラフィック合成回路１９に供給して、当該ＯＳＤ画像をテレビジョンモニタ上に表示させる。さらに、システムコントローラ２６は、入力装置２５からの入力情報に従ってＯＳＤ画像を適宜更新し、変更したＯＳＤ画像をテレビジョンモニタ上に表示させる。システムコントローラ２６は、入力装置２５からの入力に従って各種の制御を行ったり、現在表示しているＯＳＤ画像と現在入力された入力情報とに基づき決定される所定の制御を行ったりする。
【００４６】
また、システムコントローラ２６は、入力されたビデオ信号から検出されたＶＢＩ情報がＶＢＩスライス回路２４から供給され、このＶＢＩ情報に示されている複数の情報のうち、必要な情報をＭＰＥＧエンコーダ１７に供給し、ＭＰＥＧ−２ストリームのヘッダ情報にエンコードさせる。システムコントローラ２６は、再生時には、ＭＰＥＧ−２ストリームのヘッダ情報から検出された情報のうち、必要な情報に基づきＶＢＩ情報を生成し、生成したＶＢＩ情報をＮＴＳＣ／ＰＡＬエンコーダ２０に供給して、出力するビデオ信号の所定のブランキング位置にエンコードさせる。
【００４７】
以上のような構成のＤＶＤレコーダ１０の記録時の動作は、次のようになる。
【００４８】
記録時には、ＤＶＤレコーダ１０には、ビデオ信号及びオーディオ信号が外部から入力される。入力されたビデオ信号は、ＮＴＳＣ／ＰＡＬデコーダ１５又はＤＶデコーダ１６によりＩＴＵ−Ｒ  ＢＴ．６０１フォーマットのビデオ信号に変換される。ＩＴＵ−Ｒ  ＢＴ．６０１フォーマットのビデオ信号は、スイッチング回路２１を介してＭＰＥＧエンコーダ１７に供給され、オーディオ信号とともにＭＰＥＧ−２ストリームに符号化される。バッファ回路２２は、ＭＰＥＧエンコーダ１７により符号化されたＭＰＥＧ−２ストリームを一時的に格納するとともに、システムコントローラ２６により生成された制御データストリームも一時的に格納する。そして、ＤＶＤレコーダ１０では、ドライブ装置２３が、ＤＶＤディスク１のフォーマットに従った順序でＭＰＥＧ−２ストリーム及び制御データストリームをバッファ回路２２から読み出し、読み出したデータをＤＶＤディスク１に記録していく。
【００４９】
また、さらに、ＤＶＤレコーダ１０では、記録中の映像及び音声をユーザがリアルタイムでＥＥモニタができるように次のような動作も行っている。
【００５０】
ＮＴＳＣ／ＰＡＬデコーダ１５又はＤＶデコーダ１６によりＩＴＵ−Ｒ  ＢＴ．６０１フォーマットに変換されたビデオ信号は、スイッチング回路２１を介して、グラフィック合成回路１９にも供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されて外部に出力される。また、入力されたオーディオ信号は、スイッチング回路２１を介し、アナログ信号に変換された後に外部に出力される。
【００５１】
また、ＤＶＤレコーダ１０の再生時の動作は、次のようになる。
【００５２】
再生時には、ドライブ装置２３は、ＤＶＤディスク１からＭＰＥＧ−２ストリーム及び制御データストリームを読み出して、バッファ回路２２に格納する。バッファ回路２２に格納されているＭＰＥＧ−２ストリームは、ＭＰＥＧデコーダ１８により読み出され、制御データストリームはシステムコントローラ２６により読み出される。読み出されたＭＰＥＧ−２ストリームは、ＭＰＥＧデコーダ１８によりＩＴＵ−Ｒ  ＢＴ．６０１フォーマットのビデオ信号及びオーディオ信号に復号される。復号されたオーディオ信号は、スイッチング回路２１を介してアナログ信号に変換された後に外部に出力される。復号されたＩＴＵ−Ｒ  ＢＴ．６０１フォーマットのビデオ信号は、スイッチング回路２１を介して、グラフィック合成回路１９に供給される。グラフィック合成回路１９に供給されたビデオ信号は、システムコントローラ２６によりＯＳＤ画像が出力されている場合にはＯＳＤ画像と合成され、ＯＳＤ画像が出力されていない場合にはそのままＮＴＳＣ／ＰＡＬエンコーダ２０に供給される。ＮＴＳＣ／ＰＡＬエンコーダ２０に供給されたＩＴＵ−Ｒ  ＢＴ．６０１フォーマットのビデオ信号は、ＮＴＳＣ又はＰＡＬフォーマットのビデオ信号に変換され、アナログ信号に変換されたのちに外部に出力される。また、システムコントローラ２６は、読み出した制御データストリームに従い、例えばディスクの読み出し位置の制御や各種の表示制御等を行う。
【００５３】
つぎに、レックポーズ時におけるＭＰＥＧ−２ストリームに対するＶＢＩ情報の符号化処理について説明をする。
【００５４】
まず、定常的なテレビジョン信号の録画時のＶＢＩ情報の符号化動作は、図２に示すようになる。すなわち、ＶＢＩスライス回路２４は、１フレーム毎（垂直同期タイミング（Ｖタイミング）毎）に、ＶＢＩ情報を検出する。ＶＢＩスライス回路２４は、検出したＶＢＩ情報を１フレーム毎にシステムコントローラ２６に転送する。システムコントローラ２６は、入力されたＶＢＩ情報を１ＧＯＰ分内部バッファに蓄積する。システムコントローラ２６は、内部バッファに１ＧＯＰ分のＶＢＩ情報を蓄積すると、１ＧＯＰ分まとめてＶＢＩ情報をＭＰＥＧエンコーダ１７に転送する。ＭＰＥＧエンコーダ１７は、ＧＯＰ単位で入力されたＶＢＩ情報を、ＧＯＰのヘッダ情報に記述する。そして、このようにＶＢＩ情報が挿入されたＭＰＥＧ−２データストリームは、ＤＶＤディスクに記録される。
【００５５】
一方、レックポーズ時には、図３に示すように、ＶＢＩスライス回路２４により１フレーム毎（垂直同期タイミング（Ｖタイミング）毎）にＶＢＩ情報が検出され、システムコントローラ２６の内部バッファにそのＶＢＩ情報が書き込まれ続けるが、ＭＰＥＧエンコーダ１７には転送されない状態となる。
【００５６】
そして、レックポーズが解除され記録が再開されると、図４に示すように、システムコントローラ２６は、まず、受信側のＶＢＩ表示メモリ内の情報を消去する所定の制御コマンドをＭＰＥＧエンコーダ１７に転送する。受信側のＶＢＩ表示メモリとは、受信装置が検出したテキスト情報を画面上にＯＳＤ表示する際に、そのテキスト情報が格納されるメモリのことである。
【００５７】
ここで、アメリカ合衆国における文字放送の規格に、２１番目の水平ラインに字幕データを挿入する規格がある。この規格では、ボトムフィールドとトップフィールドとで２チャンネル分（チャンネル１、チャンネル２）のテキストデータを転送できる。さらに、１つのチャンネルが２つのＶＢＩ表示メモリを利用しており、状況に応じて使用するＶＢＩ表示メモリを適宜切り換えることができるようになっている。つまり、１チャンネル内で表示するテキスト内容を２パターン使用することができる。
【００５８】
このため、システムコントローラ２６は、例えば、アメリカ合衆国における文字放送規格である２１番目の水平ラインにＶＢＩ情報を挿入する場合には、受信側のＶＢＩ表示メモリ内の情報を消去する制御コマンドとして、以下の４つの制御コマンドを転送する。
・チャネル１の表示メモリ内の情報を消去するコマンド
・チャネル１の非表示メモリ内の情報を消去するコマンド
・チャネル２の表示メモリ内の情報を消去するコマンド
・チャネル２の非表示メモリ内の情報を消去するコマンド
【００５９】
さらに、システムコントローラ２６は、レックポーズの解除後に、新たなＶＢＩ情報の挿入が開始されるので、新たなＶＢＩ情報が挿入されることを受信側に通知する制御コマンドをＭＰＥＧエンコーダ１７に転送する。
【００６０】
例えば、アメリカ合衆国における文字放送規格である２１番目の水平ラインにＶＢＩ情報を挿入する場合には、新たなＶＢＩ情報が挿入されることを受信側に通知する制御コマンドとして、以下の２つの制御コマンドを転送する。
・チャネル１のテキストを再スタートするコマンド
・チャネル２のテキストを再スタートするコマンド
【００６１】
そして、システムコントローラ２６は、レックポーズの解除後に以上の制御コマンドをＭＰＥＧエンコーダ１７に転送した後は、図２に示すように、定常的なテレビジョン信号の録画時のＶＢＩ情報の符号化動作を行う。
【００６２】
以上のように本発明の実施の形態のＤＶＤレコーダ１０では、レックポーズが発生し、その後レックポーズが解除された時に、まず、受信側のＶＢＩ表示メモリに格納されている情報を消去する制御コマンドをＭＰＥＧ−２ストリーム中に符号化する。このため、レックポーズが発生して、ＶＢＩ情報の連続性が途切れても、ＶＢＩ情報を受信側に正しく表示させることができる。
【００６３】
なお、本発明の実施の形態のＤＶＤレコーダ１０では、受信側のＶＢＩ表示メモリに格納されている情報を消去する制御コマンドをＭＰＥＧ−２ストリーム中に符号化する処理を、チャンネルの切り換え後の符号化開始時にも行っている。具体的には、ＤＶＤレコーダ１０では、上述した４つのコマンドと、それに続ける２つのスタートコマンドを挿入している。このため、ＤＶＤレコーダ１０では、チャンネル切り換えが発生して、ＶＢＩ情報の連続性が途切れても、ＶＢＩ情報を受信側に正しく表示させることができる。
【００６４】
【発明の効果】
本発明に係る映像信号記録装置及び方法では、符号化処理の一時停止後の再符号化の開始時又はチャンネル切り換え後の再符号化の開始時には、表示データを記憶するメモリ内の情報を消去する制御コマンドをブランキングデータとしてビデオデータストリームに挿入する。
【００６５】
このため本発明に係る映像信号記録装置及び方法では、レックポーズが発生した場合であっても、垂直帰線消去期間内の所定の水平走査期間に挿入されている付加情報を受信側に正しく表示させることができる。
【図面の簡単な説明】
【図１】本発明の実施の形態のＤＶＤレコーダのブロック構成図である。
【図２】定常的な録画時のＶＢＩ情報の符号化動作を説明するための図である。
【図３】レックポーズ時のＶＢＩ情報の符号化動作を説明するための図である。
【図４】レックポーズの解除時のＶＢＩ情報の符号化動作を説明するための図である。
【符号の説明】
１  ＤＶＤディスク、１０  ＤＶＤレコーダ、１５  ＮＴＳＣ／ＰＡＬデコーダ、１６  ＤＶデコーダ、１７  ＭＰＥＧエンコーダ、１８  ＭＰＥＧデコーダ、１９  グラフィック合成回路、２０  ＮＴＳＣ／ＰＡＬエンコーダ、２１  スイッチング回路、２２  バッファ回路、２３  ドライブ回路、２４  ＶＢＩスライス回路、２５  入力装置、２６  システムコントローラ
【図１】
2004320082.tif 000003
【図２】
2004320082.tif 000004
【図３】
2004320082.tif 000005
【図４】
2004320082.tif 000006